(57)【要約】【課題】意匠性を向上可能にした収納ケースを提供する。【解決手段】矩形板状の底壁１１と、底壁１１から上方に延びる矩形筒状の周壁１２と、を備え、周壁１２が、矩形板状を有して前後で一対となる２つの第１側壁２１と、矩形板状を有して左右で一対となる２つの第２側壁２２と、から構成され、各第１側壁２１が、他の第１側壁２１と向かい合う対向面２１Ａと、対向面２１Ａとは反対側の面である第１外面２１Ｂと、を備え、第１外面２１Ｂは、収納ケースの左右方向の全幅にわたる矩形状の平面であり、第２側壁２２は、対向面２１Ａの左右方向の端よりも中央寄りで対向面２１Ａと連結する。【選択図】図１
2020152456.tif 000002
【特許請求の範囲】
【請求項１】
矩形板状の底壁と、
前記底壁から上方に延びる矩形筒状の周壁と、を備え、
前記周壁が、
矩形板状を有して前後で一対となる２つの第１側壁と、
矩形板状を有して左右で一対となる２つの第２側壁と、から構成され、
各第１側壁が、
他の前記第１側壁と向かい合う対向面と、
前記対向面とは反対側の面である第１外面と、を備え、
前記第１外面は、収納ケースの左右方向の全幅にわたる矩形状の平面であって、２つの収納ケースが左右に並べられた状態で、一方の収納ケースの前記第１外面と他方の収納ケースの前記第１外面とが面一となる平面であり、
前記第２側壁は、前記対向面の左右方向の端よりも中央寄りで前記対向面と連結する
収納ケース。
【請求項２】
各第２側壁は、他の前記第２側壁と向かい合う内面を備え、
前記底壁と前記対向面とがなす角度、および、前記底壁と前記内面とがなす角度は９０°よりも大きい
請求項１に記載の収納ケース。
【請求項３】
前記底壁の下面から下方に向けて突出し、他の前記収納ケースが備える前記周壁の開口部に篏入可能な大きさを有する矩形枠状の底壁突条を備え、
前記底壁突条は、
前後で一対となる２つの第１突条と、
左右で一対となる２つの第２突条と、から構成され、
前記第１突条は、左右方向における中心に切欠きを備え、
各第２側壁は、他の前記第２側壁と向かい合う内面を備え、
左右方向において、
前記内面から前記第１側壁の端面を含む平面までの距離は、前記第１側壁の端部幅であり、
前記切欠きが有する幅は、前記端部幅の２倍以上である
請求項１または２に記載の収納ケース。
【請求項４】
各第２側壁は、
他の前記第２側壁と向かい合う内面と、
前記内面とは反対側の面である第２外面と、
前記第２側壁を貫通する第２把手孔と、
前記第２把手孔の開口を縁取り前記第２外面から突出する第２把手突条と、を備え、
第２把手孔の内周面は、前記収納ケースの内側に向けて拡開する滑らかな曲面であり、
第２把手突条の内周面は、前記収納ケースの外側に向けて拡開する滑らかな曲面である
請求項１から３のいずれか一項に記載の収納ケース。
【請求項５】
前記２つの第１側壁のなかの一方は、前記第１外面から前記対向面までを貫通する孔を第１把手部として備える
請求項１から４のいずれか一項に記載の収納ケース。
【発明の詳細な説明】
【技術分野】
【０００１】
本発明は、樹脂製の収納ケースに関する。
【背景技術】
【０００２】
樹脂製の収納ケースは、屋内に置かれて衣類や雑貨などの物品を収納する（例えば、特許文献１参照）。収納ケースの使用状態は、単一で物品を収納することの他に、複数の収納ケースが積み重ねられた収納棚を構成したり、複数の収納棚の組合せである収納棚セットを構成したりする。
【先行技術文献】
【特許文献】
【０００３】
【特許文献１】特開２０１８−０３９５４２号公報
【発明の概要】
【発明が解決しようとする課題】
【０００４】
しかしながら、上述した従来の技術では、意匠性の向上を図りつつ、利用上の利便性に配慮した構造を有する収納ケースを提供することが困難であった。
例えば、従来の収納ケースでは、丸みを帯びた角部を備えて、当該角部で正面壁と左右の側面壁とを連結している。結果として、収納ケースが横に並べられる場合には、一方の正面壁と他方の正面壁との空間的な連続性が、丸みを帯びた角部によって断たれてしまう。また、収納ケースの正面壁が屋内壁に寄せられる場合にも、正面壁と屋内壁との空間的な連続性が、丸みを帯びた角部によって断たれてしまう。そして、丸みを帯びた角部による断続は、統一性を欠いた装いを屋内空間に招来させている。
【課題を解決するための手段】
【０００５】
上記課題を解決するための収納ケースは、矩形板状の底壁と、前記底壁から上方に延びる矩形筒状の周壁と、を備える。前記周壁は、矩形板状を有して前後で一対となる２つの第１側壁と、矩形板状を有して左右で一対となる２つの第２側壁と、から構成され、各第１側壁が、他の前記第１側壁と向かい合う対向面と、前記対向面とは反対側の面である第１外面と、を備える。そして、前記第１外面は、収納ケースの左右方向の全幅にわたる矩形状の平面であって、２つの収納ケースが左右に並べられた状態で、一方の収納ケースの前記第１外面と他方の収納ケースの前記第１外面とが面一となる平面であり、前記第２側壁は、前記対向面の左右方向の端よりも中央寄りで前記対向面と連結する。
【０００６】
上記収納ケースによれば、第１外面が収納ケースの左右方向の全幅にわたる矩形状の平面であり、かつ、対向面の左右方向の端よりも中央寄りで第２側壁が対向面と連結する。そのため、例えば、収納ケースが横に並べられる場合には、第１外面が横に並べられて、相互に隣り合う第１外面間での空間的な連続性が得られる。また、例えば、第１外面が屋内壁に寄せられる場合にも、第１外面と屋内壁との空間的な連続性が得られる。さらに、対向面の左右方向の端よりも中央寄りで第２側壁が対向面と連結するため、対向面の左右方向の端と第２側壁とが連結する構成と比べて、第１外面がたわむこと、および、第２側壁がたわむことが抑制可能である。
【０００７】
上記収納ケースにおいて、各第２側壁は、他の前記第２側壁と向かい合う内面を備え、前記底壁と前記対向面とがなす角度、および、前記底壁と前記内面とがなす角度は９０°よりも大きくてもよい。この構成によれば、射出形成によって収納ケースを製造するときに、収納ケースから金型を外すことが容易ともなる。
【０００８】
上記収納ケースにおいて、前記底壁の下面から下方に向けて突出し、他の前記収納ケースが備える前記周壁の開口部に篏入可能な大きさを有する矩形枠状の底壁突条を備え、前記底壁突条は、前後で一対となる２つの第１突条と、左右で一対となる２つの第２突条と、から構成され、前記第１突条は、左右方向における中心に切欠きを備え、各第２側壁は
、他の前記第２側壁と向かい合う内面を備えてもよい。そして、左右方向においては、前記内面から前記第１側壁の端面を含む平面までの距離は、前記第１側壁の端部幅であり、前記切欠きが有する幅は、前記端部幅の２倍以上であってもよい。この収納ケースによれば、横並びの２つの収納ケースに対し、当該２つの収納ケースの間に跨るように別の収納ケースを積み重ねることが可能ともなる。
【０００９】
上記収納ケースにおいて、各第２側壁は、他の前記第２側壁と向かい合う内面と、前記内面とは反対側の面である第２外面と、前記第２側壁を貫通する第２把手孔と、前記第２把手孔の開口を縁取り前記第２外面から突出する第２把手突条と、を備えてもよい。そして、第２把手孔の内周面は、前記収納ケースの内側に向けて拡開する滑らかな曲面であり、第２把手突条の内周面は、前記収納ケースの外側に向けて拡開する滑らかな曲面であってもよい。この収納ケースによれば、使用者が第２把手部を把手して収納ケースを持ち上げる際に、収納ケースの荷重が使用者の掌の一部に集中することが抑制可能ともなる。
【００１０】
上記収納ケースにおいて、前記２つの第１側壁のなかの一方は、前記第１外面から前記対向面までを貫通する孔を第１把手部として備えてもよい。この収納ケースによれば、第１外面が平面であることを保ちつつ、第１側壁に第１把手部を備えることが可能となる。
【図面の簡単な説明】
【００１１】
【図１】収納ケースの一実施形態における正面、平面、右側面側からの斜視図。
【図２】収納ケースの一実施形態における背面、底面、左側面側からの斜視図。
【図３】図１のＡ−Ａ線断面図。
【図４】収納ケースの一実施形態における正面、平面、左側面側からの斜視図の一部を拡大した部分斜視図。
【図５】収納ケースの一実施形態における正面、底面、左側面側からの斜視図の一部を拡大した部分斜視図。
【図６】各種サイズの収納ケースが並べられた状態を示す斜視図。
【図７】図１のＢ−Ｂ線端面図。
【図８】図１のＣ−Ｃ線端面図。
【図９】図１のＤ−Ｄ線端面図。
【図１０】収納ケースが横に並べられた状態での内面の位置を示す正面図。
【図１１】収納ケースの変形例における蓋体の正面、平面、右側面側からの斜視図。
【図１２】収納ケースの変形例における蓋体の背面、底面、左側面側からの斜視図。
【図１３】収納ケースの変更例において収納ケースを組み合わせた斜視図。
【発明を実施するための形態】
【００１２】
以下、収納ケースの一実施形態を図１から図１０を参照して説明する。
図１が示すように、収納ケースは、上面を開口した直方体状を有する樹脂製の物品である。収納ケースは、底壁１１、周壁１２、および、上端フランジ１３を備える。底壁１１、周壁１２、および、上端フランジ１３は、一体の樹脂成形体である。
【００１３】
底壁１１は、矩形板状を有する。底壁１１の周縁部は、周壁１２の外側に位置する下端フランジ１１Ｅである。下端フランジ１１Ｅは、周壁１２の外周面から外側に向けて突き出る。下端フランジ１１Ｅは、周壁１２の全周にわたって位置する。
【００１４】
周壁１２は、底壁１１から上方に延びる矩形筒状を有する。周壁１２は、前後で一対となる２つの第１側壁２１、および、左右で一対となる２つの第２側壁２２から構成される。各第１側壁２１は、底壁１１の前後方向の端部から上方に向けて立ち上がる矩形板状を有し、前後方向で他の第１側壁２１と対向する。各第２側壁２２は、底壁１１の左右方向の端部から上方に向けて立ち上がる矩形板状を有し、左右方向で他の第２側壁２２と対向
する。第１側壁２１と第２側壁２２とは、互いにほぼ直交する。
【００１５】
各第１側壁２１は、対向面２１Ａ、および、第１外面２１Ｂを備える。対向面２１Ａは、該対向面２１Ａを備えた第１側壁２１において、該第１側壁２１以外の他の第１側壁２１と対向する面である。第１外面２１Ｂは、該第１外面２１Ｂを備えた第１側壁２１において、対向面２１Ａとは反対側の面である。第１外面２１Ｂは、収納ケースの左右方向の全幅にわたる矩形状の平面である。
【００１６】
各第２側壁２２は、内面２２Ａ、および、第２外面２２Ｂを備える。内面２２Ａは、該内面２２Ａを備えた第２側壁２２において、該第２側壁２２以外の他の第２側壁２２と対向する面である。第２外面２２Ｂは、該第２外面２２Ｂを備えた第２側壁２２において、内面２２Ａとは反対側の面である。第２外面２２Ｂは、第２側壁２２の前後方向の全幅にわたる矩形状の平面である。
【００１７】
周壁１２の開口部１２Ｔは、２つの第１側壁２１の上端、および、２つの第２側壁２２の上端から構成される。周壁１２の開口部１２Ｔは、上端フランジ１３に連結されている。上端フランジ１３は、周壁１２の全周にわたる矩形枠状を有する。上端フランジ１３は、底壁１１が広がる水平面に沿って、周壁１２の開口部１２Ｔから外側に向けて突き出る。上端フランジ１３は、周壁１２の全周にわたって位置する。
【００１８】
図２が示すように、底壁１１は、開口部１２Ｔと対向する底壁上面１１Ａ（図１参照）と、底壁上面１１Ａとは反対側の面である底壁下面１１Ｂとを備える。底壁下面１１Ｂは、矩形枠状の底壁突条１１Ｃを備える。底壁突条１１Ｃは、底壁下面１１Ｂから下方に向けて突き出る。底壁突条１１Ｃは、他の収納ケースが備える上端フランジ１３、および、周壁１２の開口部１２Ｔに篏入可能な大きさを有する。底壁突条１１Ｃの外周面は、他の収納ケースにおける上端フランジ１３の内周面、および、周壁１２の内周面と摺接可能な大きさを有する。
【００１９】
底壁突条１１Ｃは、前後で一対となる２つの第１突条１１Ｃ１と、左右で一対となる２つの第２突条１１Ｃ２とから構成される。第１突条１１Ｃ１は、左右方向に延在する。第２突条１１Ｃ２は、前後方向に延在する。第１突条１１Ｃ１と第２突条１１Ｃ２との接続部分は、底壁突条１１Ｃの外側に曲率中心を有した弧状を有する。収納ケースを移動させるためのキャスターの軸は、例えば、第１突条１１Ｃ１と第２突条１１Ｃ２とが接続される部分の外側に位置する孔に嵌装される（図５参照）。
【００２０】
図３が示すように、各第２側壁２２は、対向面２１Ａの左右方向の端よりも左右方向の中央寄りで対向面２１Ａと連結する。各第１側壁２１の右端部は、周壁１２の上下方向の全幅にわたり、右側の第２外面２２Ｂから右側に向けて突出する補強リブとして機能する。各第１側壁２１の左端部は、これもまた、周壁１２の上下方向の全幅にわたり、左側の第２外面２２Ｂから左側に向けて突出する補強リブとして機能する。
【００２１】
右側の第２側壁２２の内面２２Ａから第１側壁２１の右側の端面２１Ｅを含む平面までの距離、および、左側の第２側壁２２の内面２２Ａから第１側壁２１の左側の端面２１Ｅを含む平面までの距離は、共に第１側壁２１の端部幅２１Ｗである。第１側壁２１の端部幅２１Ｗは、上端フランジ１３の左右方向の幅と等しい。（図４参照）なお、上端フランジ１３の前後方向の幅、下端フランジ１１Ｅの左右方向の幅、および、下端フランジ１１Ｅの前後方向の幅は、端部幅２１Ｗと等しくてもよい。
【００２２】
図４が示すように、上端フランジ１３の左右方向の端面１３Ｅは、各第１側壁２１の左右方向の端面２１Ｅと面一である。また、図５が示すように、下端フランジ１１Ｅの左右
方向の端面１１ＥＳは、各第１側壁２１の左右方向の端面２１Ｅと面一である。すなわち、各第１側壁２１、および、第１側壁２１の上下を挟む上端フランジ１３と下端フランジ１１Ｅとは、第１外面２１Ｂと対向する平面視において、収納ケースの左右方向の全幅にわたる矩形状の平面を構成する。
【００２３】
上述したように、（ａ）第１外面２１Ｂが左右方向の全幅にわたる矩形状の平面であること、（ｂ）各第２側壁２２が対向面２１Ａの左右方向の端よりも中央寄りで対向面２１Ａと連結すること、これらの形態は、収納ケースにおける外観上の要部である。また、（ｃ）上端フランジ１３の左右方向の端面１３Ｅと、第１側壁２１の左右方向の端面２１Ｅとが面一であること、（ｄ）下端フランジ１１Ｅの左右方向の端面と、第１側壁２１の左右方向の端面とが面一であること、これらの形態もまた、収納ケースにおける外観上の要部である。
【００２４】
図６が示すように、これらの要部を有した収納ケースによれば、例えば、２つの収納ケースが横並びに配置される場合、第１外面２１Ｂ同士が横並びに配置されて、互いに隣り合う第１外面２１Ｂが恰も単一の平面であるかのように、一方の第１外面２１Ｂと他方の第１外面２１Ｂとの空間的な連続性が得られる。また、屋内壁などに第１外面２１Ｂが寄せられて収納ケースが配置される場合にも、第１外面２１Ｂと屋内壁との空間的な連続性が得られる。
【００２５】
また、収納ケースの左右方向の幅が例えば半分に変更された他の収納ケースが並ぶ場合であれ、収納ケースの上下方向の幅が例えば半分に変更された他の収納ケースが並ぶ場合であれ、上述した空間的な連続性は得られる。特に、互いに異なるサイズの収納ケースが左右方向や上下方向に並ぶ場合では、収納ケースの外形による雑然とした外観が目立つようになるが、上述した空間的な連続性の得られるフラットなデザインであれば、雑然とした外観が目立ち難く、空間的なまとまりによる美観の向上効果がさらに高められる。その結果、例えば家庭の収納に統一感を出すことができる。
【００２６】
また、第１側壁２１と第２側壁２２とが互いにほぼ直交するため、第１側壁２１と第２側壁２２とが丸みを帯びた角部で接続された従来の構成と比べて、収納ケースにおける収納容積を増やすこともできる。
【００２７】
図７が示すように、内面２２Ａは、底壁１１から開口部１２Ｔ（図１参照）に向けて徐々に外側に位置する傾きを有する。内面２２Ａと底壁１１とのなす角度は、９０°よりも大きい。内面２２Ａと底壁１１とのなす角度が９０°よりも大きい構成であれば、収納ケースを射出成形するための金型を、収容ケースの内側から抜くことが容易である。
【００２８】
第２側壁２２は、第２把手部を備える。第２把手部は、第２把手孔２２Ｈ、および、第２把手突条２２Ｔから構成される。第２把手孔２２Ｈは、第２側壁２２を貫通する楕円孔である。第２把手突条２２Ｔは、第２外面２２Ｂにおいて、第２把手孔２２Ｈの開口を縁取り、第２外面２２Ｂから突き出る。第２把手孔２２Ｈの内周面は、収納ケースの内側に向けて拡開する滑らかな曲面である。第２把手突条２２Ｔの内周面は、収納ケースの外側に向けて拡開する滑らかな曲面である。
【００２９】
図８が示すように、対向面２１Ａは、底壁１１から開口部１２Ｔに向けて徐々に外側に位置する傾きを有する。対向面２１Ａと底壁１１とのなす角度は、９０°よりも大きい。対向面２１Ａと底壁１１とのなす角度が、９０°よりも大きい構成であれば、収納ケースを射出成形するための金型を、収容ケースの内側から抜くことが容易である。
【００３０】
なお、上述した金型の抜き勾配を有する構成では、第１外面２１Ｂ、および、第２外面２２Ｂと、底壁１１とがなす角度も９０°よりも大きくなる。この際、図１０が示すように、収容ケースが横に並べられた状態では、互い隣り合う第２外面２２Ｂの間に、金型の抜き勾配の分だけ、より大きな隙間が形成されてしまう。一方、第１外面２１Ｂが左右方向の全幅にわたる矩形状の平面であり、各第２側壁２２が対向面２１Ａの左右方向の端よりも中央寄りで対向面２１Ａと連結する構成であれば、互いに隣り合う第２外面２２Ｂが形成する隙間は、単一の平面であるかのような２つの第１外面２１Ｂで覆われる。結果として、意匠性の向上を可能としながらも、射出成形による製造を容易なものとすることが可能ともなる。
【００３１】
一方の第１側壁２１は、第１把手部を備える。第１把手部は、第１把手孔２１Ｈから構成される。第１把手孔２１Ｈは、第１外面２１Ｂから対向面２１Ａまでを貫通する楕円孔である。第１把手部は、第２把手部と異なり、第１把手孔２１Ｈの開口を縁取る把手突条を有しない。なお、２つの第１側壁２１は、第１把手部を省略された構成とすることも可能であり、また、各第１側壁２１が第１把手部を備える構成とすることも可能である。
【００３２】
上述したように、（ｅ）左右方向の両端部から第１側壁２１が突き出た第２側壁２２において第２把手突条２２Ｔを備えること、および、（ｆ）左右方向の全幅にわたる平面である第１外面２１Ｂを備えた第１側壁２１において把手突条を有しない第１把手部を備えること、これらの形態は、収納ケースにおける外観上の要部である。第１把手部が把手突条を有しないことは、第２外面２２Ｂと比べて、第１外面２１Ｂが滑らかな平面であることを強調し得る。
【００３３】
図７に戻り、第２側壁２２の内面２２Ａと底壁上面１１Ａとは、収納ケースの内側に曲率中心を有した曲面によって接続される。内面２２Ａと底壁上面１１Ａとを接続する曲面の曲率半径は、第２把手部の下方で半径Ｒ２であり、第１側壁２１の近傍で半径Ｒ１（図９参照）である。半径Ｒ２は、前後方向の全体にわたり一定値であって半径Ｒ１と同じであってもよく、半径Ｒ１よりも大きくてもよい。
【００３４】
以上、上記実施形態によれば、以下の効果が得られる。
（１）第１外面２１Ｂが収納ケースの左右方向の全幅にわたる矩形状の平面であって、対向面２１Ａの左右方向の端よりも中央寄りで第２側壁２２が対向面２１Ａと連結する。すなわち、平面である第１外面２１Ｂの左右方向の両端辺が、収納ケースの左右方向の両端に位置するため、第１外面２１Ｂと他の構造体との空間的な連続性が得られる。
【００３５】
（２）第１側壁２１の左右方向の両端部が、端部幅２１Ｗを有した補強リブとして機能する。そのため、対向面２１Ａの左右方向の端と第２側壁２２とが連結する構成と比べて、第１外面２１Ｂがたわむこと、および、第２外面２２Ｂがたわむことが抑制可能である。そして、第１外面２１Ｂと対向する位置から見て、補強リブに起因した凹凸が視認されないため、収納ケースの強度を保ち、かつ、収納ケースの意匠性を高めることが可能となる。
【００３６】
（３）収納ケースを射出形成する際に、収納ケースから金型を外すことが容易でもある。
（４）底壁突条１１Ｃが開口部１２Ｔに嵌入可能な大きさであるため、収納ケースを他の収納ケースに積み重ねた際に、２つの収納ケースの相対位置の変位が抑制可能である。
【００３７】
（５）さらに、上端フランジ１３の左右方向の幅と、下端フランジ１１Ｅの左右方向の幅とが、端部幅２１Ｗと等しい構成であれば、収納ケースを他の収納ケースに積み重ねた際に、上端フランジ１３の外周面と、下端フランジ１１Ｅの外周面とが、上下方向でほぼ一致する。そのため、２つの第１外面２１Ｂと他の構造体との空間的な連続性、および、２つの第１外面２１Ｂの間での空間的な連続性が相まって、１組の収納ケースにおける意匠性が向上可能でもある。
【００３８】
（６）そのうえ、上端フランジ１３と下端フランジ１１Ｅとの間に隙間が空くことが抑制可能でもあるため、フランジ間に埃がたまることが抑制可能ともなる。
（７）第１突条１１Ｃ１と第２突条１１Ｃ２との接続部分が、底壁突条１１Ｃの外側に曲率中心を有した弧状を有する。そのため、第１突条１１Ｃ１と第２突条１１Ｃ２とが直交する構成と比べて、第１側壁２１と第２側壁２２とが丸みを帯びた角部で接続される従前の収納ケースに対しても、上述した収納ケースを積み重ねることが可能ともなる。
【００３９】
（８）第２把手孔２２Ｈの内周面は、収納ケースの内側に向けて拡開する滑らかな曲面である。また、第２把手突条２２Ｔの内周面は、収納ケースの外側に向けて拡開する滑らかな曲面である。そのため、使用者が第２把手部を把手して収納ケースを持ち上げる際に、収納ケースの荷重が使用者の掌の一部に集中することが抑制可能ともなる。
【００４０】
（９）第１把手部が一方の第１側壁２１にのみ備えられる構成であれば、第１把手部を備えた第１外面２１Ｂが視認されやすいように収納ケースを配置すること、および、第１把手部を備えた第１外面２１Ｂが視認されないように収納ケースを配置すること、これらが使用者の好みに応じて変更可能ともなる。
【００４１】
なお、上記実施形態は、以下のように変更して実施することもできる。
［収納棚］
・収納ケースは、複数の収納ケースを多段に積み重ねた収納棚の構成物品に変更可能であり、また、収納棚セットの構成物品にも変更可能である。収納棚、および、収納棚セットにおいては、構成物品である収納ケースが集合して１つのまとまりある形状をあらわすことによる統一感が得られる。
【００４２】
・収納ケースの左右方向の寸法、および、収納ケースの上下方向の寸法は、適宜変更可能である。例えば、収納ケースの上下方向の寸法は、上記実施形態における上下方向の半分に変更可能である。また、例えば、収納ケースの左右方向の寸法は、上記実施形態における左右方向の寸法の半分に変更可能である。
【００４３】
この際、上下方向の寸法が半分である２つの第１収納ケースを積み重ね、かつ、積み重ねられた第１収納ケースの横に上記実施形態の収納ケースを並べて、単一の収納棚セットを構成することも可能である。
【００４４】
また、左右方向の寸法が半分である第２収納ケースを左右方向に並べ、かつ、横並びにされた第２収納ケースに上記実施形態の収納ケースを積み重ねて、単一の収納棚セットを構成することも可能である。
【００４５】
なお、２つの第２収納ケースに跨がって積み重ねられる収納ケースは、第１突条１１Ｃ１の左右方向の中心に切欠き１１ＣＮを備える。左右方向において切欠き１１ＣＮが有する幅は、端部幅２１Ｗの２倍以上である。切欠き１１ＣＮを備えた構成であれば、２つの第２収納ケースが備える上端フランジ１３が、第１突条１１Ｃ１の切欠き１１ＣＮに入り込めるため、２つの第２収納ケースの間に跨るように別の収納ケースを積み重ねることが可能ともなる。
【００４６】
［蓋体］
・収納ケースは、周壁１２の開口部１２Ｔを閉じるための蓋体４１を備えてもよい。
図１１が示すように、蓋体４１は、例えば、矩形板状を有し、蓋体４１の周縁は、蓋体
４１が開口部１２Ｔを閉じた状態で、上端フランジ１３の周縁と上下方向でほぼ一致する。蓋体４１は、蓋体４１の周縁で下方に向けて突出する閉蓋用突条４１Ｂを備える。閉蓋用突条４１Ｂは、収納ケースが備える上端フランジ１３、および、周壁１２の開口部１２Ｔに篏入可能な大きさを有する。閉蓋用突条４１Ｂの外周面は、収納ケースにおける上端フランジ１３の内周面、および、周壁１２の内周面と摺接可能な大きさを有する。閉蓋用突条４１Ｂの角部は、第１突条１１Ｃ１と第２突条１１Ｃ２との接続部分と同じく、円弧状の突条である。
【００４７】
図１２が示すように、蓋体４１は、蓋体４１の周縁で上方に向けて突出する積み重ね用突条４１Ｔを備える。積み重ね用突条４１Ｔは、収納ケースが備える底壁突条１１Ｃが篏入可能な大きさを有する。積み重ね用突条４１Ｔの内周面は、収納ケースにおける底壁突条１１Ｃの外周面と摺接可能な大きさを有する。
【００４８】
（１０）上述した蓋体４１を備える構成であれば、閉蓋用突条４１Ｂが周壁１２の開口部１２Ｔと篏合することによって、収納ケースの開口部１２Ｔを蓋体４１が覆う。この際、蓋体４１の周縁と上端フランジ１３の周縁とが上下方向でほぼ一致するため、蓋体４１と収納ケースとの間に、左右方向や前後方向の段差が形成され難い。結果として、収納ケースと蓋体４１とのセットにおける意匠性が向上可能ともなる。
【００４９】
（１１）図１３が示すように、蓋体４１を備えた収納ケースは、蓋体４１の上に他の収納ケースを積み重ねることが可能である。この際、上に位置する下端フランジ１１Ｅの周縁と、下に位置する蓋体４１の周縁とが、上下方向でほぼ一致するため、上記（１）、（５）、（６）に準じた効果が、閉蓋された収納ケースにおいても得られる。
【００５０】
［その他］
・対向面２１Ａ、および、内面２２Ａの少なくとも一方は、収納ケースの内側に向けて突出して上下方向に延在する補強リブをさらに備えてもよい。
【００５１】
・第１側壁２１の左右方向の端面２１Ｅは、上下方向に延在する平面に限らず、例えば、第１外面２１Ｂと対向する位置から見て、左右方向の外側に張り出す弧状面であってもよいし、左右方向の内側に窪む弧状面であってもよい。また、第１側壁２１の左右方向の両端面２１Ｅは、左右方向の外側に張り出す弧状面と、左右方向の内側に窪む弧状面とを備えてもよい。こうした端面２１Ｅを備える構成であっても、２つの収納ケースが横並びに配置された際には、一方の収納ケースが備える端面２１Ｅと、他方の収納ケースが備える端面２１Ｅとをほぼ一致させて、空間的な連続性を得ることが可能である。
【００５２】
・第１突条１１Ｃ１と第２突条１１Ｃ２との接続部分は、底壁突条１１Ｃの内側に曲率中心を有した弧状を有してもよい。この構成であっても、上記（７）に準じた効果は得られる。
【符号の説明】
【００５３】
１１…底壁、１１Ｃ…底壁突条、１１Ｃ１…第１突条、１１Ｃ２…第２突条、１１ＣＮ…切欠き、１２…周壁、１２Ｔ…開口部、２１…第１側壁、２１Ａ…対向面、２１Ｂ…第１外面、２１Ｗ…端部幅、２２…第２側壁、２２Ａ…内面、２２Ｂ…第２外面、２２Ｈ…第２把手孔、２２Ｔ…第２把手突条。
【図１】
2020152456.tif 000003
【図２】
2020152456.tif 000004
【図３】
2020152456.tif 000005
【図４】
2020152456.tif 000006
【図５】
2020152456.tif 000007
【図６】
2020152456.tif 000008
【図７】
2020152456.tif 000009
【図８】
2020152456.tif 000010
【図９】
2020152456.tif 000011
【図１０】
2020152456.tif 000012
【図１１】
2020152456.tif 000013
【図１２】
2020152456.tif 000014
【図１３】
2020152456.tif 000015